(57)【要約】  【課題】  本発明の目的は、雨水の貯水ユニットへの集水効率を高めることができ、同時に貯水ユニット内に溜まっている雨水の保水性ブロックへの給水効率も高くできる貯水ユニット及びこの貯水ユニットを用いた保水性舗装を提供することにある。  【解決手段】  本発明の貯水ユニットは、上部に開口部を有する貯水ボックス２と、貯水ボックス２の開口部を覆いこの貯水ボックス２に通じる通水孔９を有する天板３と、通水孔９を介して貯水ボックス２内に垂下している導水性部材１０とからなる貯水ユニット４であって、天板３はその上面に通水孔９を囲むリブ３Ａを有していることを特徴としている。  【選択図】  図１
2009052261.tif 000002
【特許請求の範囲】
【請求項１】
上部に開口部を有する貯水ボックスと、該貯水ボックスの開口部を覆い前記貯水ボックスに通じる通水孔を有する天板と、前記通水孔を介して前記貯水ボックス内に垂下している導水性部材とからなる貯水ユニットであって、前記天板はその上面に前記通水孔を囲むリブを有していることを特徴とする貯水ユニット。
【請求項２】
前記天板はその下面に前記通水孔から前記貯水ボックス内への土砂の侵入を防止する透水性防砂部材を有していることを特徴とする請求項１記載の貯水ユニット。
【請求項３】
前記天板がその上面に有するリブは天板上面に縦横に形成されていて、前記通水孔は前記縦横に形成されているリブで囲まれている区画内に形成されていることを特徴とする請求項１または請求項２いずれかに記載の貯水ユニット。
【請求項４】
平面状に複数個敷詰められた請求項１〜請求項３いずれかに記載の貯水ユニットと、該貯水ユニットの天板上面に形成されたリブで囲まれている区画内に充填された透水性クッション材と、前記リブで囲まれている区画内に透水性クッション材が充填された前記貯水ユニット上に直接敷詰められた保水性ブロックとを有することを特徴とする保水性舗装。
【請求項５】
平面状に複数個敷詰められた請求項１〜請求項３いずれかに記載の貯水ユニットと、該貯水ユニットの天板上面に形成されたリブで囲まれている区画内に充填された透水性クッション材と、前記リブで囲まれている区画内に透水性クッション材が充填された前記貯水ユニット上方に敷詰められた芝生とを有することを特徴とする保水性舗装。
【請求項６】
前記貯水ユニットの天板の少なくとも一部のリブは前記保水性ブロックを位置決めする位置決め機能を有していることを特徴とする請求項４または請求項５いずれかに記載の貯水ユニット。
【発明の詳細な説明】
【技術分野】
【０００１】
本発明は、例えば、舗道や屋上、公園内等に布設される保水性舗装を形成するための貯水ユニット及びこの貯水ユニットを用いた保水性舗装に関するものである。
【背景技術】
【０００２】
都市部の舗道、ビルの屋上そして公園内の一部においては、通常アスファルトやコンクリートで固められている。そのため夏季の日中、これらの場所では温度上昇が激しく、舗道を歩いたり、屋上で過ごすにはとても厳しい環境条件となる。特に温暖化現象が顕著になってきた昨今においては、日中のみならず夜間においても、この熱がアスファルトやビルの屋上から放熱されて、いわゆるヒートアイランド現象を引き起こす要因の一つにもなっている。
【０００３】
このヒートアイランド現象を緩和しようと、道路の脇に木を植えたり、ビルの屋上に芝生を植えたり、あるいは種々の草木や花を植える試みも成されているが、それだけでは十分でなく、さらなる工夫が求められている。
この一環として、特許文献１にあるように保水性舗装ブロック本体の下に容器状の保水タンクを設置し、この保水タンクに降雨時に降った雨水を溜めておき、これを不織布を介して毛細管現象により上方に吸い上げ、保水性舗道ブロック本体から蒸発させて、その蒸発潜熱により保水性舗装ブロック本体を冷やそう、との試みもなされている。
【０００４】
しかしながら特許文献１に開示されている保水性舗装ブロックの場合、一部の保水性舗装ブロック本体が目詰まりを起こしたり、枯葉等で覆われたりして、前記一部の保水性舗装ブロック本体下方にある保水タンクに充分雨水が溜まらず、舗装全体にあって冷却ムラが発生する恐れがあった。
【０００５】
そこで本発明者らは、前記問題を解決すべく図６に示すような構造の保水性舗装を提案した（特許文献２）。
これは図６に示すように地面を所定深さ掘って整地して固めた路床の上に、例えば、砕石や該砕石上にさらに所定厚さの砂を被せて形成したクッション層等が設けられている下地１の上に、上部に開口部を有する貯水ボックス２とこの貯水ボックス２の開口部を覆う天板３とからなる貯水ユニット４を平面状に複数個敷詰め、さらにこの貯水ユニット４上に、例えば、１〜５ｍｍ程度の厚さを有する不織布等からなる透水性防砂部材５を被せ、さらにこの透水性防砂部材５上に土砂等からなる透水性クッション材６を被せた後、この透水性クッション材６上に保水性ブロック７を敷詰めたものである。
【０００６】
尚、貯水ユニット４の貯水ボックス２の内部には符号８が示すように貯水空間が形成されていて、この貯水空間８に通ずる通水孔９が各天板３に少なくとも１個ずつ形成されている。またこの通水孔９には、この通水孔９にその上端が接続され、貯水ボックス２内の底面に向かって垂下している導水性部材１０が設けられている。
【０００７】
この保水性舗装では、雨が降って保水性ブロック７を透水して降下してきた雨水は、透水性クッション材６や透水性防砂部材５を透過した後、天板３に設けられている通水孔９に至り、この通水孔９に接続されている導水性部材１０を介して貯水ボックス２内に下り、貯水ボックス２内の貯水空間８に溜まる。
一方、外部の温度が上昇した場合には、貯水空間８内の雨水は毛細管現象により導水性部材１０を介して上昇し、最終的には保水性ブロック７等を冷却しながら空気中に放散される。
【０００８】
このようにしてなる特許文献２により提案された発明によれば、降った雨は保水性ブロック７、透水性クッション材６を透過して不織布等からなる透水性防砂部材５に至ると、この透水性防砂部材５を介して水平方向に拡散し、仮に目詰まりした保水性ブロック７があってもその保水性ブロック７の下方にも拡散し、結局、いずれの貯水ユニット４にも雨水が行き渡ることが期待されている。
【０００９】
期待通り、降った雨は保水性ブロック７等を透水して透水性クッション材６や透水性防砂部材５に至ると水平方向に拡散して、いずれの貯水ユニット４にも雨水が行き渡った。
しかしながら透水性クッション材６や透水性防砂部材５で水平方向に拡散された雨水の一部は、透水性クッション材６や透水性防砂部材５端部から舗装形成部以外の方向にも拡散してしまう。しかもその量が予想外に多いことが判ってきた。
結局、通水孔９を通じて各貯水ボックス２に溜まる雨水の量が目減りし、貯水ユニット４による集水効率が低下することが判った。
逆に外部が高温のとき、貯水ボックス２から保水性ブロック７へ雨水を供給する場合、導水性部材１０を介して供給する雨水が透水性防砂部材５や透水性クッション材６で水平方向に拡散し、その一部がやはり舗装形成部以外の方向にも逃げ、保水性ブロック７への給水効率が悪化することも判った。
【００１０】
そこでこの問題を解決するために、透水性防砂部材５をなくし、かつ透水性クッション材６を構成する土砂等の粒径を特定範囲に揃える検討を行った。
しかしながら保水性ブロック７から浸透してくる雨水の集水効率を高めようとするならば、土砂の粒径を大きくして貯水ユニット４側への排水性を高める必要があるが、反面、貯水ユニット４内に溜まっている雨水を保水性ブロック７側に供給する給水効率を上げようとするならば、粒径を小さくして毛細管現象を起こし易くする必要がある。
【００１１】
このように降った雨水を貯水ユニット４の貯水空間８に集める集水効率を高める粒径と、貯水空間８に溜まっている雨水を導水性部材１０を介して上昇させ、保水性ブロック７側に供給する給水効率を高めるための粒径とは相反する関係にある。そのためこれまでのところ貯水ユニット４への雨水の集水効率と、貯水ユニット４から保水性ブロック７への給水効率の両方を満足させる透水性クッション材６を得ることができていない。
【００１２】
【特許文献１】特許第２８８５０８５号公報（特開平８‐８５９０７号）
【特許文献２】特願２００７−１１１１８２号（本件出願時未公開）
【発明の開示】
【発明が解決しようとする課題】
【００１３】
前述の問題に鑑み本発明の目的は、雨水の貯水ユニットへの集水効率を高めることができ、同時に貯水ユニット内に溜まっている雨水の保水性ブロックへの給水効率も高くできる貯水ユニット及びこの貯水ユニットを用いた保水性舗装を提供することにある。
【課題を解決するための手段】
【００１４】
前記目的を達成すべく本発明の請求項１記載の貯水ユニットは、上部に開口部を有する貯水ボックスと、該貯水ボックスの開口部を覆い前記貯水ボックスに通じる通水孔を有する天板と、前記通水孔を介して前記貯水ボックス内に垂下している導水性部材とからなる貯水ユニットであって、前記天板はその上面に前記通水孔を囲むリブを有していることを特徴とするものである。
また請求項２記載の貯水ユニットは、請求項１記載の貯水ユニットにおいて、前記天板はその下面に前記通水孔から前記貯水ボックス内への土砂の侵入を防止する透水性防砂部材を有していることを特徴としている。
【００１５】
また請求項３記載の貯水ユニットは、請求項１または請求項２いずれかに記載の貯水ユニットにおいて、前記天板がその上面に有するリブは天板上面に縦横に形成されていて、前記通水孔は前記縦横に形成されているリブで囲まれている区画内に形成されていることを特徴とする。
【００１６】
さらに請求項４記載の保水性舗装は、平面状に複数個敷詰められた請求項１〜請求項３いずれかに記載の貯水ユニットと、該貯水ユニットの天板上面に形成されたリブで囲まれている区画内に充填された透水性クッション材と、前記リブで囲まれている区画内に透水性クッション材が充填された前記貯水ユニット上に直接敷詰められた保水性ブロックとを有することを特徴とするものである。
【００１７】
また請求項５記載の保水性舗装は、請求項４記載の保水性舗装において、平面状に複数個敷詰められた請求項１〜請求項３いずれかに記載の貯水ユニットと、該貯水ユニットの天板上面に形成されたリブで囲まれている区画内に充填された透水性クッション材と、前記リブで囲まれている区画内に透水性クッション材が充填された前記貯水ユニット上方に敷詰められた芝生とを有することを特徴としている。
さらにまた請求項６記載の保水性舗装は、請求項４または請求項５いずれかに記載の貯水ユニットにおいて、前記貯水ユニットの天板の少なくとも一部のリブは前記保水性ブロックを位置決めする位置決め機能を有していることを特徴とするものである。
【００１８】
このようにしてなる本発明によれば、貯水ユニットにおける天板には、その上面に通水孔を囲むようにリブが形成されている。そしてこの貯水ユニットを用いて保水性舗装を形成する場合には、平面状に複数個敷詰めた各貯水ユニットの天板のリブ内、すなわちリブで囲まれた区画内に珪砂、土あるいは砂等からなる透水性クッション材を充填して、その上に直接保水性ブロックを、あるいはその上方に芝生を敷詰めるものである。
【００１９】
そのため、保水性ブロックを透水して下方に浸透してきた雨水は、天板上面に形成されたリブで囲まれた区画内に充填されている透水性クッション材に沁み込む。沁み込んだ雨水は水平方向に拡散しようとしてもリブで遮られるため、リブで囲まれている区画内に溜まり、時間の経過と共にこの区画内に形成されている通水孔及びこの通水孔に装着されている導水性部材を介して貯水ボックス内の貯水空間に集まる。
このように透水性クッション材に沁み込んだ雨水は、四方を囲むリブに遮られて水平方向に拡散することができなくなって、効率よく貯水ボックスの貯水空間に集水されるようになる。
逆に外気温が上昇した場合には、貯水空間から導水性部材を介して上昇した雨水は、リブで囲まれた区画内の透水性クッション材に沁み込むが、沁み込んだ雨水はリブに遮られて四方に拡散できないため効率よく保水性ブロックへと給水される。
【発明の効果】
【００２０】
このようにしてなる本発明によれば、雨水の貯水ユニットへの集水効率を高めることができ、同時に貯水ユニット内に溜まっている雨水の保水性ブロックへの給水効率も高くできる貯水ユニット及びこの貯水ユニットを用いた保水性舗装を提供することができる。
【発明を実施するための最良の形態】
【００２１】
以下に図を用いて、本発明の貯水ユニット及びこの貯水ユニットを用いた保水性舗装の一実施形態例を詳細に説明する。尚、図６に示されているものと同一のものには、同一の符号を付してある。
図１は本発明の貯水ユニット４及びこの貯水ユニット４を用いた保水性舗装の縦断面図である。図１に示すように、まず舗装を施す部分の地面を所定深さ掘って整地し、固めた路床の上に、例えば、砕石や該砕石上にさらに所定厚さの砂等を被せて下地１を形成する。しかる後この下地１の上に、上部に開口部を有する貯水ボックス２とこの貯水ボックス２の開口部を覆う天板３とからなる貯水ユニット４を平面状に複数個敷詰める。
因みに、この実施形態例では、天板３の上面には、天板３の外縁に沿ってとその内側に縦横に２列ずつ直線的にリブ３Ａが設けられていて、結果的には格子状にリブ３Ａが形成されている。
【００２２】
またリブ３Ａで格子状に区切られている区画３Ｂの中心部に通水孔９が、この例では１個ずつ設けられている。もちろん、各区画３Ｂ内に複数個の通水孔９を設けてもよいことはいうまでもない。
さらにまた天板３の裏面（下面）には、不織布等の透水性防砂シートからなる透水性防砂部材５をピンや接着剤等で貼り付けてある。尚、この透水性防砂部材５にあっては、前通水孔９に導水性部材１０を装着する箇所に、予め導水性部材１０を通すための穴が形成されている。
ところで、通水孔９の穴径が比較的小さく、リブ３Ａで囲まれている区画３Ｂに充填する砕石等からなる透水性クッション材６の粒径が通水孔９の穴径よりも大きいなら、敢えてこの透水性防砂部材５を天板３の下面に装着する必要はない。
【００２３】
このように下面に透水性防砂部材５を、上面にリブ３Ａを有する天板３が貯水ボックス２の開口部に被せられた貯水ユニット４を下地１上に敷詰めたら、まず各貯水ユニット４、４の隙間に砕石等からなる透水性の充填材１１を詰め込む。次にリブ３Ａで囲まれた区画３Ｂ内に砕石、珪砂あるいは土砂等からなる透水性クッション材６をほぼリブ３Ａと同じ高さまで充填する。
最後に平面状に敷詰めた複数個の貯水ユニット４上に直接、複数個の保水性ブロック７を平面状に敷詰める。
ここで貯水ユニット４上に直接、保水性ブロック７を敷詰める、とは、天板３のリブ３Ａの上端に保水性ブロック７の下面がほぼ接するように保水性ブロック７を敷詰めることを意味している。
【００２４】
このようにしてなる図１に示す保水性舗装によれば、保水性ブロック７を透水して下方に浸透してきた雨水は、天板３の上面に形成されたリブ３Ａで囲まれた区画３Ｂ内に充填されている透水性クッション材６に沁み込む。沁み込んだ雨水は水平方向に拡散しようとしても四方がリブ３Ａで遮られているため、区画３Ｂ内に留まり、時間の経過と共に区画３Ｂ内に形成されている通水孔９及びこの通水孔９に装着されている導水性部材１０を介して貯水ボックス２内の貯水空間８に溜まる。符号２０は貯水空間８内に溜まった雨水を示している。
【００２５】
このように透水性クッション材６に沁み込んだ雨水は、リブ３Ａに四方を遮られて水平方向に拡散することができなくなるため、効率よく貯水ボックス２の貯水空間８に集水されるようになる。
また天板３の下面には透水性防砂部材５が装着されているため、通水孔９を通って貯水空間８に侵入しようとする土砂はこの透水性防砂部材５で遮られる。よって土砂の貯水ボックス２内への侵入が防止できる。
因みに、導水性部材１０はすべての通水孔９に装着されている必要はなく、各貯水ユニット４において、少なくとも一個の導水性部材１０が、区画３Ｂ内のいずれかの通水孔９に装着されていればよい。もちろん導水性部材１０が多いほど雨水を貯水ボックス２に集める集水効率と集めた雨水を保水性ブロック７に供給する給水効率は向上する。
【００２６】
図２は天板３の別の実施形態例を示すもので、天板３を上方からみた平面図、図３は図２のＡ−Ａ断面図である。この例ではリブ３Ａは天板３の外縁と共に、天板３の上面全体に等間隔で複数本、縦横にかつ格子状に形成されている。加えて各リブ３Ａで平面正方形状に区切られている各区画３Ｂ内には通水孔９が一個ずつ設けられている。
図４は、天板３のさらに別の実施形態例を示す縦断面図で、天板３とこの天板３上に敷詰められた保水性ブロック７との関係を示している。
図４に示すように、この例では、図４の下方に○印部の拡大図を示しているが、この拡大図が示すように、外縁のリブ３Ａには、保水性ブロック７を布設する際、保水性ブロック７の位置決めが容易にでき、保水性ブロック７の布設作業がより簡単にできるように位置決め用切欠３Ｃが設けられている。尚、外縁のリブ３Ａは保水性ブロック７の下部を支える位置決め用切欠３Ｃの高さ分、内側のリブ３Ａよりも高く形成されている。
ところで図４では、外縁のリブ３Ａに保水性ブロック７の下部を支える位置決め用切欠３Ｃを設けているが、別の位置のリブ３Ａに位置決め機能を持たせることもできる。例えば、内側のリブ３Ａの先端に嵌合突起を、保水性ブロック７の対応する下面に嵌合穴を形成する等、双方に嵌合部を設ける方法もある。
【００２７】
図５は本発明の保水性舗装の、別の実施形態例を示す縦断面図である。図１に示す保水性舗装との相違は、通水孔９を貫通して、その上端が保水性ブロック７の下面にほぼ接する位置まで導水性部材１０の上端を延長せしめた点にある。
このように導水性部材１０が保水性ブロック７の下面にほぼ接するように延びていると、貯水ボックス２への集水効率が向上するが、それ以上に、高温時における貯水空間８から保水性ブロック７への給水がより効率的に行われ、保水性ブロック７の冷却効率をより高めることができる。
【００２８】
但し、このように保水性ブロック７の下面まで導水性部材１０が延びていると、その分導水性部材１０を破損させる危険性が高くなるが、図５に示す実施形態例では、導水性部材１０を延長しても、基本的にはこの導水性部材１０がリブ３Ａで囲まれた区画３Ｂに入っているため、外部から導水性部材１０に負荷しようとする力を遮ってくれる。
このように図５に示すものでは、導水性部材１０が通水孔９の上方に延びていても損傷し難くなっている。
【００２９】
尚、この導水性部材１０としては、例えば、シリカ粉末を柱状あるいはパイプ状に成形したもの等が用いられる。導水性部材１０が柱状の場合には、図１に示すように天板３に形成されている通水孔９の内径と導水性部材１０の外径をほぼ等しく作っておけば、通水孔９に導水性部材１０を嵌めることができる。そしてその下端は貯水ボックス２の底面にほぼ接する位置まで延ばしておく。あるいはその上端を図５に示すように通水孔９を貫通させて保水性ブロック７の下面に接するまで延長させておく。
【００３０】
このようにシリカ粉末製の導水性部材１０は多孔質の成形体であるから毛細管現象も働き易く、特に外部の環境が高温の際には、貯水ボックス２の貯水空間８からの雨水の上昇に大きく寄与し、保水性ブロック７等を冷却する上でその効果は極めて大きい。
もちろん導水性部材１０としてはシリカ粉末による成形体に限らず、不織布等の透水性部材を円筒状、円柱状、あるいはそれ以外の形状にしたものでもよいことはいうまでもない。但し、その下端は、貯水ボックス２内の底面に接触させる程度に垂下されて取り付けられていることが肝要である。そのようにしておけば貯水ボックス２内の貯水量が極くわずかであっても雨水を最後迄有効に上昇させ、使い切ることができるからである。
【００３１】
ところで貯水ボックス２の大きさとしては、最大幅、すなわち、前述実施形態例のような平面形状略正方形である場合ならその一辺が、長方形ならその長辺が最大５００ｍｍ未満になっていることが好ましい。何故ならば、稀に舗道に隣接する店舗等に荷物を搬送するため、あるいは事故等でトラックが一時的に舗道に乗り上げる場合があるからである。例えば、２５トントラックの場合、タイヤの設置面積はタイヤ２本分、すなわち、２００ｍｍ（Ｌ）×５００ｍｍ（Ｗ）なので、貯水ボックス２の最大幅を５００ｍｍ未満にしておけば、タイヤが最悪でも貯水ボックス２内にすっぽり収まる位置に来ることはない。それ故、トラック等の車が舗道に乗り上げる可能性の高い場所だけでも、貯水ボックス２として、その最大幅が５００ｍｍ以下のものを用いておけば、最悪この貯水ボックス２上にトラックが駐車しても貯水ボックス２の損傷の恐れを少なくでき好ましい。
【００３２】
また貯水ボックス２、天板３とも樹脂で形成すれば、リブ３Ａや位置決め用切欠３Ｃ等の加工も容易で製造し易い。しかも樹脂のリサイクル材も使用でき好ましい。但し、特に荷重負担が大きな場所に布設する貯水ユニット４にあっては、貯水ボックス２や天板３のいずれか、あるいは総てを金属製にしてもよい。
【００３３】
ところで前記各実施形態例では、本発明を舗道に適用した例のみ示しているが、本発明の貯水ユニット及び保水性舗装は舗道に限らず、例えば、ビルの屋上や公園内等の人が多く集まる場所において、特に夏季に環境温度を下げたいような場所にも適用可能である。また、駐車場にも適用できるが、その場合には貯水ユニットの機械的強度には十分な配慮が必要である。具体的には、例えば、貯水ボックスの最大幅を小さくしたり、貯水ボックスの壁部や天板の厚さを厚くする等の工夫が必要である。またリブの幅を大きくしたり、格子状にリブを形成したり、かつその形成間隔を小さくする工夫も効果的である。
【００３４】
以上説明したように本発明の貯水ユニット及びこの貯水ユニットを用いた保水性舗装によれば、保水性ブロック７を透水して下方に浸透してきた雨水は、天板３上面に形成されたリブ３Ａで囲まれた区画３Ｂ内に充填されている透水性クッション材６に沁み込む。沁み込んだ雨水は水平方向に拡散しようとしても四方をリブ３Ａで遮られるため、区画３Ｂ内に溜まり、時間の経過と共に通水孔９及びこの通水孔９に装着されている導水性部材１０を介して貯水ボックス２内の貯水空間８に集まる。
このように透水性クッション材に沁み込んだ雨水は、四方を囲むリブに遮られて水平方向に拡散することができなくなって、効率よく貯水ボックスの貯水空間に集水されるようになる。逆に外気温が上昇した場合には、貯水空間から導水性部材を介して上昇した雨水は、リブで囲まれた区画内の透水性クッション材に沁み込むが、沁み込んだ雨水は四方に拡散できないため効率よく保水性ブロックへと給水される。
【００３５】
また天板３の下面に透水性防砂部材５を装着すれば、貯水ボックス２内への土砂の侵入を効果的に防止できる。さらにリブ３Ａの一部に位置決め用切欠３Ｃを設けておけば、貯水ユニット４上に保水性ブロック７を敷詰める際、保水性ブロック７の位置決めが容易になるため布設作業が簡単になる。
また図１及び図５においては、貯水ユニット４の上に保水性ブロック７を敷き詰めているが、区画３Ｂに透水性クッション材６が充填されている貯水ユニット４の上方、すなわちリブ３Ａ上に、保水性ブロック７に替えて透水性、保水性に優れている芝生を敷き詰めても同様の効果を期待できる。このような実施形態は、特に芝生が多い公園内にこの貯水ユニットを用いた保水性舗装を布設する場合に、外観的にも優れ好適である。
尚、このように芝生を敷き詰める場合には、区画３Ｂに透水性クッション材６が充填されている貯水ユニット４の上に、必要に応じてさらに、例えば芝生生育用の透水性材料層を介在させることもできる。具体的には、前記の透水性クッション材６が酸性が強い土砂から形成されている場合には、これを緩和すべく土に石灰や栄養素を混ぜ合わせた透水性材料層を透水性クッション材６上に設けたり、あるいは各貯水ユニット４上全体にわたって広く形成し、この上に芝生を敷き詰めることもできる。
【００３６】
このようにしてなる本発明によれば、雨水の貯水ユニットへの集水効率を高めることができ、同時に貯水ユニット内に溜まっている雨水の保水性ブロックへの給水効率も高くできる貯水ユニット及びこの貯水ユニットを用いた保水性舗装を提供することができる
【図面の簡単な説明】
【００３７】
【図１】本発明に係る貯水ユニット及び保水性舗装の一実施形態例を示す概略縦断面図である。
【図２】本発明に用いる天板の別の実施形態例を示す天板を上から平面図である。
【図３】図２に示す天板のＡ−Ａ断面図である。
【図４】本発明に用いる天板のさらに別の実施形態例を示す天板を上から平面図である。
【図５】本発明に係る貯水ユニット及び保水性舗装の別の実施形態例を示す概略縦断面図である。
【図６】従来の貯水ユニット及び保水性舗装の別の実施形態例を示す概略縦断面図である。
【符号の説明】
【００３８】
１  下地
２  貯水ボックス
３  天板
３Ａ  リブ
３Ｂ  区画
３Ｃ  位置決め用切欠
４  貯水ユニット
５  透水性防砂部材
６  透水性クッション材
７  保水性ブロック
８  貯水空間
９  通水孔
１０  導水性部材
１１  透水性の充填材
【図１】
2009052261.tif 000003
【図２】
2009052261.tif 000004
【図３】
2009052261.tif 000005
【図４】
2009052261.tif 000006
【図５】
2009052261.tif 000007
【図６】
2009052261.tif 000008